【手続補正書】
【提出日】平成28年10月21日(2016.10.21)
【手続補正１】
【補正対象書類名】明細書
【補正対象項目名】００６３
【補正方法】変更
【補正の内容】
【００６３】
本発明を例示的な実施形態を参照しながら図示・説明したが、添付の特許請求の範囲に包含される本発明の範囲から逸脱することなく、その形態や詳細に様々な変更を施せることは当業者であれば理解するであろう。
なお、本発明は、実施の態様として以下の内容を含む。
［態様１］
共通の半導体基板に配置された表示素子の二次元アレイであって、各表示素子が、少なくとも画素トランジスタ、蓄電キャパシタ（Ｃｓｔ）および画素電極を含み、前記の各トランジスタは、前記画素の動作状態を制御するように設けられており、かつ、少なくともゲート、ドレインおよびソース端子を有しており、そのドレイン端子は前記蓄電キャパシタにおける第１の極板に接続されている、表示素子の二次元アレイと、
第１の複数のゲート端子を制御するように配された複数の行選択ラインと、
映像電圧を前記画素トランジスタを介して前記画素電極に渡すように配された複数の列ラインと、を備え、さらに、
複数の横方向共通電圧ラインおよび複数の縦方向共通電圧ラインを含む発熱抵抗メッシュ体であって、
各横方向共通電圧ラインが、前記行選択ライン及び前記列ラインと独立してかつ前記行選択ラインと平行な向きに並べられており、かつ、少なくとも各表示素子内の前記蓄電キャパシタにおける第２の極板で２つ以上の表示素子と一体に接続されており、
各横方向共通電圧ラインが、さらに、第１の横方向ノードおよび第２の横方向ノードを形成する２つの横方向端子を有しており、
各縦方向共通電圧ラインが、前記行選択ライン及び前記列ラインと独立してかつ前記列ラインと平行な向きに並べられており、かつ、前記横方向共通電圧ラインと接続されてメッシュ構造を形成しており、
各縦方向共通電圧ラインが、さらに、第１の縦方向ラインノードおよび第２の縦方向ラインノードを形成する２つの縦方向端子を有している、
発熱抵抗メッシュ体と、
少なくとも１つの第１の縦方向ラインノードおよび少なくとも１つの第２の縦方向ラインノードに接続されており、かつ、前記少なくとも１つの第１の縦方向ラインノードに少なくとも第１の縦方向共通ライン電圧を、前記少なくとも１つの第２の縦方向ラインノードに少なくとも第２の縦方向共通ライン電圧を供給するように設けられたヒータドライバであって、前記第１の縦方向ノードに供給される前記第１の縦方向共通ライン電圧および前記第２の縦方向ノードに供給される前記第２の縦方向共通ライン電圧が、縦方向共通ライン電圧差と前記縦方向共通電圧ラインを流れる縦方向共通ライン電流とを生成することにより、前記縦方向共通電圧ラインに接続された前記表示素子を加熱する、ヒータドライバと、
を備える、ディスプレイ装置。
［態様２］
態様１に記載のディスプレイ装置において、前記ヒータドライバが、さらに、前記発熱抵抗メッシュ体の端子に印加される電源電圧を、前記行選択ラインを制御するために印加される電圧及び前記列ラインを制御するために印加される電圧と独立して制御することにより、前記表示素子が表示情報を表示するためにアクティブに動作している間に、当該表示素子に熱を直接印加することを可能にする、ディスプレイ装置。
［態様３］
態様１に記載のディスプレイ装置において、前記ヒータドライバが、さらに、少なくとも１つの第１の横方向ラインノードおよび少なくとも１つの第２の横方向ラインノードに接続されており、かつ、前記少なくとも１つの第１の横方向ノードに少なくとも第１の横方向共通ライン電圧を、前記少なくとも１つの第２の横方向ノードに少なくとも第２の横方向共通ライン電圧を供給するように設けられており、
前記第１の横方向ノードに供給される前記第１の横方向共通ライン電圧および前記第２の横方向ノードに供給される前記第２の横方向共通ライン電圧が、横方向電圧差と前記横方向共通電圧ラインを流れる電流とを生成することにより、前記横方向共通電圧ラインに接続された前記表示素子を加熱する、ディスプレイ装置。
［態様４］
態様１に記載のディスプレイ装置において、前記ヒータドライバが、さらに、少なくとも１つの前記第１の縦方向ラインノードと前記第１の横方向ラインノードとの間の電圧連続性を生成するように設けられた分圧器を含む、ディスプレイ装置。
［態様５］
態様１に記載のディスプレイ装置において、前記発熱抵抗メッシュ体の前記横方向共通電圧ライン及び前記縦方向共通電圧ラインが、ポリシリコンで形成されている、ディスプレイ装置。
［態様６］
態様１に記載のディスプレイ装置において、前記縦方向共通電圧ラインが金属線の縦方向共通電圧ラインであり、前記横方向共通電圧ラインがポリシリコンで形成されている、ディスプレイ装置。
［態様７］
態様１に記載のディスプレイ装置において、前記横方向共通電圧ラインが金属線の横方向共通電圧ラインであり、前記縦方向共通電圧ラインがポリシリコンで形成されている、ディスプレイ装置。
［態様８］
態様１に記載のディスプレイ装置において、前記行選択ラインが、金属製の行ラインである、ディスプレイ装置。
［態様９］
態様１に記載のディスプレイ装置において、前記発熱抵抗メッシュ体が、横方向のクロストークを減少させ、かつ、表示素子の前記アレイの一点から当該アレイの端縁までの抵抗レベルが、表示素子の横方向のみの共通ヒータラインアレイの対応する一点から前記横方向のみの共通ヒータラインアレイの端縁までの対応する抵抗レベルよりも遥かに低い、ディスプレイ装置。
［態様１０］
態様１に記載のディスプレイ装置において、前記発熱抵抗メッシュ体が、各表示素子内の前記トランジスタ及び前記画素電極のそれぞれの近傍に配置された、ディスプレイ装置。
［態様１１］
態様１に記載のディスプレイ装置において、各横方向共通電圧ライン及び各縦方向共通電圧ラインが、前記画素素子の活性層よりも下方の平面上に位置している、ディスプレイ装置。
［態様１２］
態様１に記載のディスプレイ装置において、前記表示素子が、デジタルカメラ、デジタル一眼レフ（ＳＬＲ）カメラ、ナイトビジョン用ディスプレイ、携帯型ビデオゲーム用ディスプレイ、移動電話、およびビデオアイウェア装置のうちの少なくとも１つの中に使用される、ディスプレイ装置。
［態様１３］
態様１に記載のディスプレイ装置において、前記行選択ラインおよび前記列ラインのうちの少なくとも一方が、低電力シフトレジスタによって制御される、ディスプレイ装置。
［態様１４］
態様１３に記載のディスプレイ装置において、前記低電力シフトレジスタがステージ回路を含み、当該ステージ回路が単一のトランジスタによって駆動される単一の電圧ノードを有する、ディスプレイ装置。
［態様１５］
態様１に記載のディスプレイ装置において、さらに、
前記発熱抵抗メッシュ体と液晶物質層との間に積層されたアクティブ画素電極層、
を備える、ディスプレイ装置。
［態様１６］
ディスプレイを加熱する方法であって、
共通の半導体基板に表示素子の二次元アレイを配置する過程であって、各表示素子が、少なくとも画素トランジスタ、蓄電キャパシタ（ＣＳＴ）および画素電極を含み、前記の各トランジスタは、前記画素の動作状態を制御するように設けられており、かつ、少なくともゲート、ドレインおよびソース端子を有しており、そのドレイン端子は前記蓄電キャパシタにおける第１の極板に接続されている、過程と、
第１の複数のゲート端子を制御するように配された複数の行選択ラインを設ける過程と、
映像電圧を前記画素トランジスタを介して前記画素電極に渡すように配された複数の列ラインを設ける過程と、を含み、さらに、
複数の横方向共通電圧ラインおよび複数の縦方向共通電圧ラインを含む発熱抵抗メッシュ体を用意する発熱抵抗メッシュ体過程であって、
各横方向共通電圧ラインが、前記行選択ライン及び前記列ラインと独立してかつ前記行選択ラインと平行な向きに並べられており、かつ、少なくとも各表示素子内の前記蓄電キャパシタにおける第２の極板で２つ以上の表示素子と一体に接続されており、
各横方向共通電圧ラインが、さらに、第１の横方向ノードおよび第２の横方向ノードを形成する２つの横方向端子を有しており、
各縦方向共通電圧ラインが、前記行選択ライン及び前記列ラインと独立してかつ前記列ラインと平行な向きに並べられており、かつ、前記横方向共通電圧ラインと接続されてメッシュ構造を形成しており、
各縦方向共通電圧ラインが、さらに、第１の縦方向ラインノードおよび第２の縦方向ラインノードを形成する２つの縦方向端子を有している、
発熱抵抗メッシュ体過程と、
ヒータドライバを、少なくとも１つの第１の縦方向ラインノードおよび少なくとも１つの第２の縦方向ラインノードに接続する過程であって、当該ヒータドライバは、前記少なくとも１つの第１の縦方向ラインノードに第１の縦方向共通ライン電圧を、前記少なくとも１つの第２の縦方向ラインノードに第２の縦方向共通ライン電圧を少なくとも供給するように設けられ、前記第１の縦方向ノードに供給される前記第１の縦方向共通ライン電圧および前記第２の縦方向ノードに供給される前記第２の縦方向共通ライン電圧が、縦方向共通ライン電圧差と前記縦方向共通電圧ラインを流れる縦方向共通ライン電流とを生成することにより、前記縦方向共通電圧ラインに接続された前記表示素子を加熱する、過程と、
を含む、方法。